(57)【要約】【課題】表示部の大型化および外観品質の劣化を回避しつつ計測結果をユーザに容易に把握させること。【解決手段】電子時計の文字板には、指針１４０の回転中心２２０と中心が一致し半径が互いに異なる複数の円にそれぞれ含まれる円弧２０１〜２１１からなる円弧群１５０が表記されている。円弧２０１〜２１１は、指針１４０の回転中心２２０からみて指針１４０の指示方向に存在する円弧の数が指針１４０の指示方向に応じて異なるように表記されている。指針１４０の回転は、円弧２０１〜２１１のうち指針１４０の回転中心２２０からみて指針１４０の指示方向に存在する円弧の数が、電子時計において計測された物理量（たとえば電池残量）に応じた数になるように制御される。【選択図】図２
2020051953.tif 000002
【特許請求の範囲】
【請求項１】
回転により指示方向が変化する指針と、
前記指針の回転中心と中心が一致し半径が互いに異なる複数の円にそれぞれ含まれる複数の円弧が表記された表示板であって、表記された前記複数の円弧のうち、前記指針の回転中心からみて前記指針の指示方向に存在する円弧の数が前記指針の指示方向に応じて異なる表示板と、
所定の物理量を計測する計測部と、
前記複数の円弧のうち前記指針の回転中心からみて前記指針の指示方向に存在する円弧の数が、前記計測部によって計測された前記物理量に応じた数になるように前記指針の回転を制御する制御部と、
を備えることを特徴とする電子時計。
【請求項２】
前記複数の円弧は、前記複数の円における前記指針の回転中心からみて同一の方向に位置する各点を、前記指針の回転中心を中心として同一の方向かつ互いに異なる回転角で回転させることにより得られる各円弧であることを特徴とする請求項１に記載の電子時計。
【請求項３】
前記複数の円弧のうち前記指針の回転中心に近い円弧ほど短いことを特徴とする請求項２に記載の電子時計。
【請求項４】
前記表示板には、前記複数の円弧における、前記指針の回転中心からみて同一の方向に位置する各端部とは反対側の各端部から前記指針の回転中心に向かう各線が表記されていることを特徴とする請求項２または３に記載の電子時計。
【請求項５】
前記指針における前記指示方向の側の先端の幅は、前記複数の円弧の間の長さの差のうち最小の差より狭いことを特徴とする請求項１〜４のいずれか一つに記載の電子時計。
【請求項６】
前記指針のうちユーザに視認される部分の色は、前記複数の円弧の色と異なる色であることを特徴とする請求項１〜５のいずれか一つに記載の電子時計。
【請求項７】
前記複数の円弧のうち、少なくとも１箇所は、隣り合う円弧の色が異なることを特徴とする請求項１〜６のいずれか一つに記載の電子時計。
【発明の詳細な説明】
【技術分野】
【０００１】
この発明は、電子時計に関する。
【背景技術】
【０００２】
従来、電子時計において、電池残量等の物理量の計測値を指針等により表示する構成が知られている。また、速度計、圧力計、その他の数量を示す目盛を有する表示器において、各目盛が並び順に順次長くなるように表記された構成が知られている（たとえば、下記特許文献１参照。）。また、二次電池のパワーインジケータとして三日月鎌形状の目盛が表記されたアナログ電子時計が知られている（たとえば、下記特許文献２参照。）。
【先行技術文献】
【特許文献】
【０００３】
【特許文献１】特開平３−１８７２２号公報
【特許文献２】特開２０１６−１４２５４５号公報
【発明の概要】
【発明が解決しようとする課題】
【０００４】
しかしながら、上述した従来技術では、電子時計における電池残量等の計測結果を、指針を用いた表示部によってユーザに表示する場合に、表示部の大型化および外観品質の劣化を回避しつつ計測結果をユーザに容易に把握させることができないという問題がある。
【０００５】
たとえば、上述の特許文献１の構成では、代表的な値の目盛の付近にその値を表記するためのスペースを要し、表示部が大型化するという問題がある。また、上述の特許文献１の構成において値の表記を省くことも考えられる。しかしながら、その場合、ユーザは、計測結果を把握するために視線の移動方向の転換を要するため、計測結果を容易に把握することができないという問題がある。
【０００６】
また、上述の特許文献２の構成では、ユーザは三日月鎌形状の目盛のうち指針が指示する部分の太さによって計測結果を把握するため、計測結果の定量的な把握が困難である。また、上述の特許文献２の構成において、三日月鎌形状の目盛に、指針の回転中心を中心とする円の径方向の区分線を設ける構成も考えられる。しかしながら、その場合は、三日月鎌形状の目盛が、径方向の区分線により指針の回転方向に分断され、外観品質が劣化するという問題がある。また、上述の特許文献２の構成では、たとえば三日月鎌形状の目盛のうち指針が指示する部分の太さによって電池残量を示す場合に、ユーザがその三日月鎌形状の目盛を用いて電池使用量を把握することは困難という問題がある。
【０００７】
この発明は、上述した従来技術による問題点を解消するため、表示部の大型化および外観品質の劣化を回避しつつ計測結果をユーザに容易に把握させることができる電子時計を提供することを目的とする。
【課題を解決するための手段】
【０００８】
上述した課題を解決し、目的を達成するため、この発明にかかる電子時計は、回転により指示方向が変化する指針と、前記指針の回転中心と中心が一致し半径が互いに異なる複数の円にそれぞれ含まれる複数の円弧が表記された表示板であって、表記された前記複数の円弧のうち、前記指針の回転中心からみて前記指針の指示方向に存在する円弧の数が前記指針の指示方向に応じて異なる表示板と、所定の物理量を計測する計測部と、前記複数の円弧のうち前記指針の回転中心からみて前記指針の指示方向に存在する円弧の数が、前記計測部によって計測された前記物理量に応じた数になるように前記指針の回転を制御する制御部と、を備えることを特徴とする。
【０００９】
これにより、たとえば、ユーザは、指針が指示する一定方向の視線移動により円弧を数えることで、計測された物理量を容易に視認することができる。
【００１０】
また、この発明にかかる電子時計は、前記複数の円弧が、前記複数の円における前記指針の回転中心からみて同一の方向に位置する各点を、前記指針の回転中心を中心として同一の方向かつ互いに異なる回転角で回転させることにより得られる各円弧であることを特徴とする。
【００１１】
また、この発明にかかる電子時計は、前記複数の円弧のうち前記指針の回転中心に近い円弧ほど短いことを特徴とする。
【００１２】
また、この発明にかかる電子時計は、前記表示板に、前記複数の円弧における、前記指針の回転中心からみて同一の方向に位置する各端部とは反対側の各端部から前記指針の回転中心に向かう各線が表記されていることを特徴とする。
【００１３】
また、この発明にかかる電子時計は、前記指針における前記指示方向の側の先端の幅が、前記複数の円弧の間の長さの差のうち最小の差より狭いことを特徴とする。
【００１４】
また、この発明にかかる電子時計は、前記指針のうちユーザに視認される部分の色が、前記複数の円弧の色と異なる色であることを特徴とする。
【００１５】
また、この発明にかかる電子時計は、前記複数の円弧のうち、少なくとも１箇所は、隣り合う円弧の色が異なることを特徴とする。
【発明の効果】
【００１６】
この発明の一側面によれば、表示部の大型化および外観品質の劣化を回避しつつ計測結果をユーザに容易に把握させることができるという効果を奏する。
【図面の簡単な説明】
【００１７】
【図１】図１は、実施の形態にかかる電子時計の外観の一例を示す図である。
【図２】図２は、実施の形態にかかる電子時計の円弧群の一例を示す図である。
【図３】図３は、実施の形態にかかる電子時計のハードウェア構成の一例を示す図である。
【図４】図４は、実施の形態にかかる指針の先端の幅の一例を示す図である。
【図５】図５は、実施の形態にかかる文字板の円弧群の補助目盛の一例を示す図である。
【図６】図６は、実施の形態にかかる文字板の各円弧の色分けの一例を示す図である。
【図７】図７は、実施の形態にかかる文字板の各円弧の色分けの他の一例を示す図である。
【図８】図８は、実施の形態にかかる指針の制御の一例を示す図である。
【図９】図９は、実施の形態にかかる電子時計のハードウェア構成の他の一例を示す図である。
【発明を実施するための形態】
【００１８】
以下に図面を参照して、この発明にかかる電子時計の実施の形態を詳細に説明する。
【００１９】
（実施の形態）
（実施の形態にかかる電子時計の外観）
図１は、実施の形態にかかる電子時計の外観の一例を示す図である。図１に示すように、実施の形態にかかる電子時計１００は、外装（時計ケース）である胴内に、文字板（表示板）１１０、時針１２１、分針１２２、秒針１２３および指針１４０を備える。
【００２０】
時針１２１、分針１２２および秒針１２３は、文字板１１０に表記された時刻（たとえば「０」、「１」、「２」、「３」、「４」など）や目盛を指示することによって現在時刻を表示する指針である。図１に示す例において、時針１２１および分針１２２は、互いに長さが同じ指針であるが、それぞれ着色領域の位置や大きさが異なることによって区別可能になっている。なお、時針１２１、分針１２２および秒針１２３のそれぞれは、現在時刻とは異なる情報の表示にも用いられてもよい。
【００２１】
指針１４０は、文字板１１０に表記された円弧群１５０のいずれかの位置を指示することによって、電子時計１００における所定の物理量の計測により得られた計測値を表示する。所定の物理量は、たとえば電子時計１００の電池残量であるが、電子時計１００の電池残量に限らず他の物理量としてもよい（たとえば図９の計測部９０１参照）。ここでは所定の物理量が電子時計１００の電池残量である場合について説明する。たとえば、円弧群１５０は電子時計１００の電池残量を示しており、指針１４０は円弧群１５０を指示することによって、電子時計１００の電池残量の計測値を表示する。
【００２２】
指針１４０のうちのユーザに視認される部分の色は、円弧群１５０の色と異なる色になっている。指針１４０のうちのユーザに視認される部分とは、指針１４０の各面のうち、文字板１１０と対向する面とは反対側の面（図１に図示されている面）である。これにより、指針１４０および円弧群１５０のそれぞれの視認性が向上し、指針１４０および円弧群１５０による電池残量の把握が容易になる。円弧群１５０の形状等については後述する（たとえば図２参照）。
【００２３】
また、指針１４０は、文字板１１０に表記されたモードマーク１６１〜１６３のいずれかを指示することによって電子時計１００の動作モードを表示する。たとえば、モードマーク１６１〜１６３は、電子時計１００のそれぞれ異なる動作モードに対応しており、指針１４０は、モードマーク１６１〜１６３のうち、電子時計１００の現在の動作モードに対応するモードマークを指示する。
【００２４】
また、電子時計１００は、胴の側面に、電子時計１００のユーザが種々の操作を行うための操作部１３０として、リューズ（竜頭）１３１、第１プッシュボタン１３２および第２プッシュボタン１３３が配置されている。図１に示す例では、リューズ１３１は３時側に配置され、第１プッシュボタン１３２は２時側に配置され、第２プッシュボタン１３３は４時側に配置されている。
【００２５】
第２プッシュボタン１３３は、指針１４０およびモードマーク１６１〜１６３によって表示される電子時計１００の動作モードの切り替えを行うための操作部である。そして、第２プッシュボタン１３３のうち電子時計１００のユーザから視認される部分は、モードマーク１６１〜１６３の色と同系統の色になっている。第２プッシュボタン１３３およびモードマーク１６１〜１６３は、たとえばいずれも黄色である。
【００２６】
電子時計１００の胴には、文字板１１０を覆うようにガラス等の透明材料により形成された風防が取り付けられている。また、電子時計１００の胴における風防の反対側には裏蓋が取り付けられている。以降、電子時計１００において風防が配置される方向（図１における紙面手前方向）を表側、電子時計１００において裏蓋が配置される方向（図１における紙面奥方向）を裏側と呼ぶ。また、電子時計１００の胴には、電子時計１００のユーザが手首等に巻くことによって電子時計１００を携帯するためのバンド１７０が取り付けられている。
【００２７】
電子時計１００は、太陽などの光エネルギーを動力源とする太陽電池時計であってもよい。たとえば、文字板１１０の裏側には太陽電池が配置され、表側から入光した光により太陽電池において発電がなされる。そのため、文字板１１０はある程度光線を透過する材質で形成される。太陽電池によって発電された電力は二次電池（たとえば図３に示す二次電池３１２）に蓄積され、二次電池に蓄積された電力は電子時計１００の電源として使用される。二次電池は、たとえばリチウムイオン電池等により実現することができる。上述の指針１４０および円弧群１５０は、たとえばこの二次電池の残量を表示する。
【００２８】
図１に示した電子時計１００の外観は一例であり、電子時計１００の外観はこれに限らない。たとえば、胴を丸型でなく角型にしてもよいし、リューズ１３１等の有無、数、配置、形状も任意に変更することができる。また、現在時刻を示す指針として時針１２１、分針１２２、秒針１２３の３本を備える構成に限らず、たとえば秒針１２３を省略してもよい。または、曜日、サマータイムの有無、電波の受信状態など各種の表示を行う指針や、日付表示部等を追加したりしてもよい。
【００２９】
また、電子時計１００が腕時計である構成について説明したが、このような構成に限らない。たとえば、電子時計１００は、懐中時計、置き時計、掛け時計などの時計であってもよい。また、電子時計１００が指針により現在時刻を表示するアナログ時計である構成について説明したが、このような構成に限らない。
【００３０】
たとえば、電子時計１００は、数値によって現在時刻を表示するデジタル時計、または音声によって時間を通知する音声時計などであってもよい。また、電子時計１００は、アナログ時計やデジタル時計の時刻表示部を示す画像をディスプレイにより表示することにより現在時刻を通知する時計（たとえばスマートウォッチ）であってもよい。
【００３１】
ただし、これらの場合においても電子時計１００は指針１４０および円弧群１５０を含む。電子時計１００がディスプレイを備える場合、指針１４０および円弧群１５０は、そのディスプレイによって表示される画像によって実現される仮想的な指針および円弧群であってもよい。
【００３２】
（実施の形態にかかる電子時計の円弧群）
図２は、実施の形態にかかる電子時計の円弧群の一例を示す図である。図１に示した円弧群１５０は、図２に示すように、たとえば、円弧２０１〜２１１からなる。ここで、図２に示す回転中心２２０は、指針１４０の回転中心（回転軸）である。円弧２０１〜２１１は、指針１４０の回転中心２２０を中心とする複数の円であって、それぞれ半径が一定間隔（所定単位Δｒ）で異なる複数の円に含まれる円弧である。
【００３３】
たとえば、円弧２０１は、円弧２０１〜２１１の中で半径が１番目に大きい円弧である。円弧の半径とはその円弧を含む円の半径である。円弧２０２は、円弧２０１よりも半径が所定単位Δｒだけ短い円弧である。円弧２０３は、円弧２０２よりも半径が所定単位Δｒだけ短い円弧である。円弧２０４〜２１１も同様に、半径が所定単位Δｒずつ異なる。
【００３４】
また、円弧２０１〜２１１は、回転中心２２０からみて同一の方向に位置し回転中心２２０からの距離が異なる各点を、回転中心２２０を中心として同一の方向（図２では反時計回り）かつ互いに異なる回転角で回転させることにより得られる各円弧である。
【００３５】
したがって、円弧２０１〜２１１の長さはそれぞれ異なる。たとえば、円弧２０１が１番目に長い円弧であり、円弧２０２〜２１１はそれぞれ２番目〜１１番目に長い円弧である。図２に示す例では、円弧２０１〜２１１の各長さは、円弧２１１、円弧２１０、円弧２０９、円弧２０８、円弧２０７、円弧２０６、円弧２０５、円弧２０４、円弧２０３、円弧２０２、円弧２０１の順に級数的（等比級数的）に長くなっている。円弧２０１〜２１１の各長さの級数的な関係については後述する（たとえば図８参照）。
【００３６】
また、円弧２０１〜２１１のそれぞれの一端（以下、始点と称する。）は、回転中心２２０からみて同一の方向（以下、基準方向Ｄ０と称する。）に位置している。また、円弧２０１〜２１１のそれぞれの他端（以下、終点と称する。）は、回転中心２２０からみてそれぞれ異なる方向に位置している。
【００３７】
指針１４０および円弧群１５０により計測値を表示する場合に、指針１４０の回転は、たとえば、指針１４０の指示方向に円弧２０１〜２１１の少なくともいずれかが存在する範囲で制御される。図２に示す例では、回転中心２２０からみて、基準方向Ｄ０から反時計回りに１８０度の範囲に円弧２０１〜２１１の少なくともいずれかが存在している。したがって、指針１４０の回転は、基準方向Ｄ０から反時計回りに１８０度の範囲（半円形状の範囲）で制御される。
【００３８】
指針１４０によって電子時計１００の電池残量の測定値を表示する場合について説明する。この場合、円弧２０１〜２１１のうち回転中心２２０からみて指針１４０の指示方向に存在する円弧の数が、電子時計１００の電池残量の測定値に応じた数になるように、指針１４０の回転が制御される。たとえば、電子時計１００の電池残量が多いほど、円弧２０１〜２１１のうち回転中心２２０からみて指針１４０の指示方向に存在する円弧の数が多くなるように、指針１４０の回転が制御される。なお、指針１４０の指示方向に存在する円弧とは、指針１４０の指示方向と交わる円弧である。
【００３９】
図２に示す例では、基準方向Ｄ０と指針１４０の指示方向との間の角度が、電子時計１００の電池残量の測定値に応じた角度となるように指針１４０の回転が制御される。たとえば、電子時計１００の電池残量が最大値（たとえば１００％）に近い場合、基準方向Ｄ０と指針１４０の指示方向との間の角度が最小（たとえば０度〜１０度程度）になる。
【００４０】
また、電子時計１００の電池残量が減少するほど、基準方向Ｄ０と指針１４０の指示方向との間の角度が増加するように指針１４０が反時計回りに回転する。そして、電子時計１００の電池残量が最小値（たとえば０％）に近い場合、基準方向Ｄ０と指針１４０の指示方向との間の角度が最大（たとえば１７０度〜１８０度程度）になる。
【００４１】
このような制御により、電子時計１００の電池残量が減少するほど、円弧２０１〜２１１のうち指針１４０の指示方向に存在する円弧の数が少なくなる。たとえば、電子時計１００の電池残量が最大値に近い場合、指針１４０の指示方向は図２のほぼ下方向になり、指針１４０の指示方向には１１本の円弧（円弧２０１〜２１１）が存在する。
【００４２】
そして、電子時計１００の電池残量が減少すると、指針１４０の指示方向はたとえば図２に示すような指示方向になり、この場合は指針１４０の指示方向には３本の円弧（円弧２０１〜２０３）が存在する。また、電子時計１００の電池残量が最小値に近い場合、指針１４０の指示方向は図２のほぼ上方向になり、指針１４０の指示方向には１本の円弧（円弧２０１）がある。したがって、電子時計１００のユーザは、円弧２０１〜２１１のうち指針１４０の指示方向に存在する円弧の数によって、電子時計１００の電池残量を把握することができる。
【００４３】
図２に示した円弧群１５０を用いることにより、従来技術と比べて、指針１４０および円弧群１５０からなる表示部の大型化および外観品質の劣化を回避しつつ、電子時計１００の電池残量をユーザに容易に把握させることができる。
【００４４】
たとえば上述の特許文献１の構成においては、円形の表示部の外周部分に、径方向の各目盛が周方向に並んでおり、さらに各目盛のうち代表的な値の目盛の付近にその値が表記されている。このため、代表的な値を表記するためのスペースを要し、表示部が大型化するという問題がある。
【００４５】
これに対して、電子時計１００によれば、このような値の表記がなくても、ユーザは指針１４０の指示方向（指針１４０の延長線上）にある円弧を数えることにより電池残量を把握することができる。このため、代表的な値を表記するためのスペースを設けるために指針１４０および円弧群１５０からなる表示部を大型化しなくても、ユーザが電池残量を把握することができる。また、文字板１１０に上述のような値の表記を行うことによる外観品質の劣化を回避することができる。なお、円弧の数は、必ずしもユーザによって正確に数えられなくてもよい。すなわち、ユーザは、円弧の数の大まかな数が把握できれば、電子時計１００の電池残量を大まかに把握することができる。
【００４６】
また、特許文献１の構成において、上述の値の表記は行わずに、ユーザが、指針の指示方向の目盛が、端の目盛から何番目の目盛であるかを数えるという方法も考えられる。しかしながら、この場合、ユーザは、まず指針を見て、指針の指示方向に向かって視線を移動させることにより指針が指示する目盛を特定し、つぎに、周方向に視線を移動させながら、特定した目盛が端の目盛から何番目の目盛であるかを数えることになる。このため、視線の移動方向の転換を要し、指針が表示する値を簡単に把握することができない。
【００４７】
これに対して、電子時計１００によれば、ユーザは、まず指針１４０を見て、指針１４０の指示方向に向かって視線を移動させながら、指針１４０の指示方向にある円弧を数えることにより、電池残量を把握することができる。したがって、ユーザは、一定方向の視線移動により円弧を数えられるため、電池残量を簡単に把握することができる。
【００４８】
また、特許文献２の構成においては、指針および三日月鎌形状の目盛を用いて計測値が表示される。三日月鎌形状とは、たとえば、２つの弧からなる三日月形を弧の径方向に切断して得られる形状である。このような構成においては、ユーザは三日月鎌状の目盛のうち指針が指示する部分の太さによって計測結果を把握するため、計測結果の定量的な把握が困難である。また、表示する値を定量的に把握しやすいように、三日月鎌形状の目盛に、指針の回転中心を中心とする円の経方向の区分線を設けることが考えられる。しかしながら、このような経方向の区分線を設けると、三日月鎌形状の目盛が、指針の回転方向に分断され、外観品質が劣化する。
【００４９】
これに対して、電子時計１００においては、指針１４０の回転中心２２０を中心とする円弧２０１〜２１１の組み合わせにより三日月鎌形状の目盛（円弧群１５０）を実現することができる。これにより、円弧群１５０からなる三日月鎌形状の目盛内に径方向の線がないため、三日月鎌形状の目盛が指針１４０の回転方向に分断されないため、外観品質の劣化を回避することができる。また、三日月鎌形状の目盛が、指針１４０の回転方向の円弧２０１〜２１１のみによって構成されることで、外観品質の向上を図ることができる。
【００５０】
また、三日月鎌形状の目盛を文字板１１０に対する着色により行う場合に、三日月鎌形状の目盛を円弧２０１〜２１１の組み合わせにより実現することにより、たとえば三日月鎌形状にベタ塗りを行う場合に比べて着色料等のコストを抑制することができる。
【００５１】
また、ユーザは、電池残量ではなく電池使用量（電池容量と電池残量の差分）を把握したい場合がある。この場合に、ユーザは、円弧２０１〜２１１のうち指針１４０の指示方向に存在する円弧の中から回転中心２２０に最も近い円弧を特定し、特定した円弧の長さを見ることにより電池使用量を容易に把握することができる。たとえば、図２に示す例では、指針１４０の指示方向に存在する円弧２０１〜２０３の中で回転中心２２０に最も近い円弧は円弧２０３であり、円弧２０３の長さを見ることにより電池使用量を容易に把握することができる。
【００５２】
たとえば特許文献１の構成において、指針の回転中心を中心とする円のスペースに各目盛が表記されているが、これらの目盛の長さは最大でもこの円の半径である。具体的には、図２に示す円弧群１５０が設けられた半円形のスペースの半径（円弧２０１の半径）をｒとすると、この半円形のスペースにおいて、仮に引用文献１の構成のように径方向の目盛を設ける場合は、目盛の長さは最大でもｒである。
【００５３】
このため、各目盛の間で長さの差が小さくなり、ユーザは、指針により特定した目盛の長さと、特定した目盛以外の目盛の長さと、がどの程度異なるかを把握することが困難である。したがって、ユーザは、指針により特定される目盛の長さから、指針によって表示される値をユーザが把握することが困難である。
【００５４】
これに対して、電子時計１００においては、指針１４０の回転中心２２０を中心とする円のスペースに円弧２０１〜２１１が表記されており、最長の円弧２０１の長さは２×π×ｒ／２＝π×ｒである。したがって、上述のように径方向の目盛を設ける場合よりπ（≒３．１４）倍、円弧２０１〜２１１の長さの最大値を長くすることができる。これにより、円弧２０１〜２１１の各長さとして、０に近い長さからπ×ｒまでの広い範囲内の各長さを用いることができるため、円弧２０１〜２１１間で長さの差を大きくすることが可能になる。
【００５５】
その結果、ユーザは、特定した円弧の長さと、特定した円弧以外の円弧の長さと、がどの程度異なるかを容易に把握することができる。たとえば、ユーザは、特定した円弧の長さと、最大の電池使用量を示す円弧２０１の長さと、を比較することにより、最大の電池使用量に対する現在の電池使用量の割合を把握することができる。このため、少ないスペースの円弧群１５０によって、電子時計１００の電池使用量をユーザが容易に把握することができる。
【００５６】
すなわち、従来、指針の回転中心を中心とする円（半円等も含む）の形状のスペースに長さが異なる各線を表記し、その各線のうち指針によって特定される線の長さによって計測値を表示する構成がある。このような構成において、電子時計１００のように、各線を、指針の回転中心を中心とする円弧（円弧２０１〜２１１）とすることで、各線の長さの差を大きくすることが可能になり、計測値の把握が容易になる。
【００５７】
また、図２に示す円弧群１５０においては、円弧２０１〜２１１のうち回転中心２２０に近い円弧ほど短くなっている。これにより、円弧２０１〜２１１のうち最も外側の円弧２０１が最も長くなる。このため、円弧２０１により、回転中心２２０を中心とする円形の表示領域の外縁が明確になり、電子時計１００の外観品質を向上させることができる。
【００５８】
また、たとえば特許文献２の構成においては、上述のように指針および三日月鎌形状の目盛を用いて計測値が表示される。このため、たとえばこの三日月鎌形状の目盛のうち指針が指示する部分の太さによって電池残量を表示する場合に、ユーザがその三日月鎌形状の目盛を用いて電池使用量を把握することは困難という問題がある。
【００５９】
これに対して、電子時計１００においては、円弧２０１〜２１１からなる円弧群１５０によって三日月鎌形状の目盛を実現することにより、指針１４０の指示方向にある円弧の数によって電池残量を表示するとともに、指針１４０によって特性される円弧の長さによって電池使用量を表示することができる。すなわち、１組の指針１４０および円弧群１５０により、電池残量の表示と電池使用量の表示とを両立することができる。
【００６０】
図２に示す円弧群１５０は一例であり、円弧群１５０は、たとえば回転中心２２０からみて指針１４０の指示方向に存在する円弧の数が指針１４０の指示方向に応じて異なるものであれば、各種の変形が可能である。たとえば、円弧群１５０が１１本の円弧（円弧２０１〜２１１）を含む構成について説明したが、円弧群１５０が２本〜１０本の円弧、または１２本以上の円弧を含む構成としてもよい。
【００６１】
また、円弧群１５０が電子時計１００の１２時方向から６時方向までの範囲（半円の範囲）に表記されている構成、すなわち円弧群１５０において最も長い円弧２０１が０時方向から６時方向までの円弧となる構成について説明したが、このような構成に限らない。たとえば、円弧群１５０は、６時方向から１２時方向までの範囲（半円の範囲）に表記されていてもよい。この場合は、円弧群１５０において最も長い円弧２０１が６時方向から１２時方向までの円弧となる。その他、円弧群１５０は、３時方向から６時方向までの範囲（中心角が９０度の扇形）に表記されていてもよいし、０時方向から９時方向までの範囲（中心角が２７０度の扇形の範囲）に表記されていてもよい。
【００６２】
また、円弧２０１〜２１１のうち回転中心２２０に近い円弧ほど短い構成について説明したが、このような構成に限らない。たとえば、円弧２０１〜２１１のうち回転中心２２０に近い円弧ほど長い円弧になっていてもよい。また、円弧２０１〜２１１のすべての長さが同じであってもよい。
【００６３】
また、円弧２０１〜２１１の各長さが並び順に級数的に長くなる構成について説明したが、このような構成に限らない。たとえば、円弧２０１〜２１１の各長さが並び順に等間隔で長くなる構成としてもよい。
【００６４】
また、円弧２０１〜２１１がそれぞれ一定間隔（所定単位Δｒ）で配列される構成について説明したが、このような構成に限らず、円弧２０１〜２１１がそれぞれ一定でない間隔で配列される構成としてもよい。
【００６５】
また、円弧２０１〜２１１のそれぞれの一端が回転中心２２０からみて同一方向に位置し、円弧２０１〜２１１のそれぞれの他端が回転中心２２０からみて異なる方向に位置する構成について説明したが、このような構成に限らない。たとえば、円弧２０１〜２１１のそれぞれの一端が回転中心２２０からみて異なる方向に位置し、円弧２０１〜２１１のそれぞれの他端も回転中心２２０からみて異なる方向に位置する構成としてもよい。なお、円弧２０１〜２１１のそれぞれの一端とは、上述の始点であって、電池残量が多い状態に対応する点である。円弧２０１〜２１１のそれぞれの他端とは、上述の始点であって、電池残量が少ない状態に対応する点である。
【００６６】
（実施の形態にかかる電子時計のハードウェア構成）
図３は、実施の形態にかかる電子時計のハードウェア構成の一例を示す図である。図３において、図１に示した部分と同様の部分については同一の符号を付して説明を省略する。図３に示すように、実施の形態にかかる電子時計１００は、操作部１３０と、太陽電池３１１と、二次電池３１２と、制御回路３２０と、駆動機構３３０と、表示部３４０と、により実現される。
【００６７】
太陽電池３１１は、たとえば図１に示した文字板１１０の裏側に配置されている。そして、太陽電池３１１は、電子時計１００に対して照射される太陽光などの外光によって発電し、発電した電力を二次電池３１２に供給する。二次電池３１２は、太陽電池３１１によって発電された電力を蓄積する。そして、二次電池３１２は、蓄積した電力を、制御回路３２０などの電子時計１００の各回路に対して供給する。二次電池３１２は、たとえばリチウムイオン電池等により実現することができる。
【００６８】
制御回路３２０は、ＲＯＭ３２１と、ＲＡＭ３２２と、ＲＴＣ３２３と、電池残量計測部３２４と、演算部（制御部）３２５と、モータ駆動回路３２６と、を含む。ＲＯＭはＲｅａｄ  Ｏｎｌｙ  Ｍｅｍｏｒｙの略語である。ＲＡＭはＲａｎｄｏｍ  Ａｃｃｅｓｓ  Ｍｅｍｏｒｙ（ランダムアクセスメモリ）の略語である。ＲＴＣはＲｅａｌ  Ｔｉｍｅ  Ｃｌｏｃｋ（リアルタイムクロック）の略語である。制御回路３２０は、たとえばマイクロコンピュータ等の情報処理装置により実現することができる。
【００６９】
ＲＯＭ３２１は、電子時計１００を動作させる各種のプログラムやデータを記憶する補助メモリである。ＲＯＭ３２１は、たとえば磁気ディスク、フラッシュメモリなどの不揮発性メモリである。ＲＡＭ３２２は、演算部３２５のワークエリアとして使用され、演算部３２５の処理対象となるデータが書き込まれるメインメモリである。
【００７０】
ＲＴＣ３２３は、演算部３２５における計時に使用されるクロック信号を供給する。たとえば、ＲＴＣ３２３は、電子時計１００が備える水晶振動子を発振させてクロック信号を生成し、生成したクロック信号を基準信号として演算部３２５へ供給する。
【００７１】
電池残量計測部３２４は、上述の所定の物理量として、二次電池３１２における電池残量を計測し、電池残量の計測値を演算部３２５へ出力する。電池残量計測部３２４による電池残量の計測は、たとえば二次電池３１２の出力電圧を検出することにより行うことができる。ただし、電池残量の計測方法は、これに限らず各種の計測方法とすることができる。
【００７２】
演算部３２５は、電子時計１００の全体の制御を司る。たとえば、演算部３２５は、ＲＯＭ３２１に記憶されたプログラムをＲＡＭ３２２にロードして実行することにより各種の制御を行う。たとえば、演算部３２５は、ＲＴＣ３２３から供給されたクロック信号に基づいて現在時刻を計時し、計時した現在時刻を表示部３４０に表示させるようにモータ駆動回路３２６を制御する。
【００７３】
また、演算部３２５は、電池残量計測部３２４から出力された電池残量の計測値を表示部３４０に表示させるようにモータ駆動回路３２６を制御する。たとえば、演算部３２５は、後述のように表示部３４０に含まれる指針１４０の指示方向が、電池残量の計測値に対応する指示方向となるようにモータ駆動回路３２６を制御する。演算部３２５による電池残量の計測値の表示の制御の例については後述する（たとえば図８参照）。
【００７４】
モータ駆動回路３２６は、演算部３２５からの制御に応じて、後述する駆動機構３３０に含まれるモータを駆動する駆動信号を出力する。これにより、たとえば制御回路３２０によって決定された表示時刻や、電池残量計測部３２４によって計測された二次電池３１２の電池残量が表示部３４０により表示される。
【００７５】
駆動機構３３０は、上述したモータ駆動回路３２６から出力される駆動信号に応じて動作するステップモータや輪列を含み、ステップモータの回転を輪列が伝達することによって、表示部３４０に含まれる指針を回転させる。
【００７６】
表示部３４０は、たとえば、図１に示した文字板１１０、時針１２１、分針１２２、秒針１２３および指針１４０を含む。表示部３４０に含まれる各指針が文字板１１０上を回転することによって各情報が表示される。
【００７７】
操作部１３０は、ユーザによる操作を受け付けて、その操作内容を制御回路３２０に対して出力する。制御回路３２０は、操作部１３０が受け付けた操作入力の内容に応じて各種の処理を実行する。操作部１３０には、たとえば図１に示したリューズ１３１、第１プッシュボタン１３２および第２プッシュボタン１３３などが含まれる。
【００７８】
（実施の形態にかかる指針の先端の幅）
図４は、実施の形態にかかる指針の先端の幅の一例を示す図である。図４において、図２に示した部分と同様の部分については同一の符号を付して説明を省略する。図４に示す範囲Ｗ１〜Ｗ１１は、円弧２０１〜２１１が並び順に長くなっていることにより規定される各範囲である。
【００７９】
たとえば、範囲Ｗ１は、回転中心２２０からみて円弧２０１の終点から円弧２０２の終点までの扇形の範囲である。範囲Ｗ２は、回転中心２２０からみて円弧２０２の終点から円弧２０３の終点までの扇形の範囲である。範囲Ｗ３〜Ｗ１０についても同様であり、たとえば範囲Ｗ１０は、回転中心２２０からみて円弧２１０の終点から円弧２１１の終点までの扇形の範囲である。範囲Ｗ１１は、回転中心２２０からみて円弧２１１の終点から始点までの扇形の範囲である。
【００８０】
図４に示すように、（円弧２０１，２０２の長さの差）＞（円弧２０２，２０３の長さの差）＞（円弧２０３，２０４の長さの差）＞（円弧２０４，２０５の長さの差）＞（円弧２０５，２０６の長さの差）＞（円弧２０６，２０７の長さの差）＞（円弧２０７，２０８の長さの差）＞（円弧２０８，２０９の長さの差）＞（円弧２０９，２１０の長さの差）＞（円弧２１０，２１１の長さの差）である。また、図４に示す例ではさらに（円弧２１０，２１１の長さの差）＞（円弧２１１の長さ）である。したがって、（範囲Ｗ１の広さ）＞（範囲Ｗ２の広さ）＞（範囲Ｗ３の広さ）＞（範囲Ｗ４の広さ）＞（範囲Ｗ５の広さ）＞（範囲Ｗ６の広さ）＞（範囲Ｗ７の広さ）＞（範囲Ｗ８の広さ）＞（範囲Ｗ９の広さ）＞（範囲Ｗ１０の広さ）＞（範囲Ｗ１１の広さ）である。
【００８１】
Ｗ０は、指針１４０における、指針１４０の指示方向の側の先端の幅である。指針１４０の先端の幅Ｗ０は、円弧２０１〜２１１の各長さの差の最小値である、円弧２１０，２１１の長さの差よりも狭い幅とする。これにより、指針１４０の先端による指示範囲が、範囲Ｗ１〜Ｗ１１のうち３つ以上の範囲に跨ることを回避し、ユーザによる視認性を向上させることができる。
【００８２】
たとえば、図４に示す例のように、指針１４０が範囲Ｗ３の中央付近を指示している場合、円弧２０３，２０４の長さの差に対して指針１４０の先端の幅Ｗ０が狭いことにより、指針１４０が範囲Ｗ３を指示していることが明確である。このため、ユーザは、円弧２０１〜２１１のうち指針１４０の指示方向に存在する円弧が３本であると容易に把握することができる。また、たとえば指針１４０が範囲Ｗ２，Ｗ３の境界付近を指示することにより、指針１４０の先端による指示範囲が２つの範囲に跨ることはあり得るが、指針１４０の先端による指示範囲が３つ以上の範囲に跨ることは回避することができる。
【００８３】
（実施の形態にかかる文字板の円弧群の補助目盛）
図５は、実施の形態にかかる文字板の円弧群の補助目盛の一例を示す図である。図５において、図２に示した部分と同様の部分については同一の符号を付して説明を省略する。文字板１１０には、たとえば、図５に示すように、円弧群１５０（円弧２０１〜２１１）に加えて補助目盛５０１〜５１１が表記されていてもよい。
【００８４】
補助目盛５０１は、円弧２０１の終点から回転中心２２０に向かう線分である。同様に、補助目盛５０２〜５１１は、それぞれ円弧２０２〜２１１の終点から回転中心２２０に向かう線分である。つまり、円弧群１５０における指針１４０の回転中心２２０からみて同一の方向に位置する各端部とは反対側の各端部から指針１４０の回転中心に向かう各線である補助目盛５０１〜５１１が表記されている。補助目盛５０２〜５１１により、ユーザは、たとえば図４に示した範囲Ｗ１〜Ｗ１１の各境界を容易に把握することができるため、指針１４０の指示方向における円弧を容易に数えることができる。
【００８５】
また、図５に示す例では、補助目盛５０１〜５１１のそれぞれにおける回転中心２２０に近い方の各端部は、回転中心２２０を中心とする同一の円上に位置している。したがって、補助目盛５０１が１番目に長い線分であり、補助目盛５０２〜５１１がそれぞれ２番目から１１番目に長い線分になっている。
【００８６】
これにより、たとえば図４に示した範囲Ｗ１〜Ｗ１１のうち指針１４０が指示する範囲をユーザが容易に把握することができる。たとえば、図４に示した範囲Ｗ１を指針１４０により指示する場合、指針１４０の先端と最寄りの円弧（円弧２０１）との間の距離が比較的遠くなる。しかし、補助目盛５０１，５０２が比較的長くなっていることにより、指針１４０が補助目盛５０１，５０２の間の範囲Ｗ１を指示していることをユーザが容易に把握することができる。このため、ユーザは、指針１４０の指示方向に位置する円弧（円弧２０１）が１本であることを容易に把握することができる。
【００８７】
補助目盛５０１〜５１１の各長さは、たとえば指針１４０が図４に示した範囲Ｗ１〜Ｗ１１のいずれを指示する場合においても、指針１４０の先端が補助目盛５０１〜５１１のいずれかに挟まれるように設定することが好ましい。これにより、指針１４０が範囲Ｗ１〜Ｗ１１のいずれを指示しているかをユーザが容易に把握することができる。
【００８８】
（実施の形態にかかる文字板の各円弧の色分け）
図６は、実施の形態にかかる文字板の各円弧の色分けの一例を示す図である。図６において、図２に示した部分と同様の部分については同一の符号を付して説明を省略する。図６において円弧２０１〜２１１に付したパターンは、円弧２０１〜２１１の色を示している。図６に示す例では、円弧２０１，２０３，２０５，２０７，２０９，２１１が第１の色であり、円弧２０２，２０４，２０６，２０８，２１０が第１の色と異なる第２の色である。
【００８９】
円弧２０１〜２１１の色分けは、たとえば塗料等を用いた着色によって行うことができる。図６に示したように、円弧２０１〜２１１のうち隣り合う各円弧は互いに色が異なるようにすることにより、円弧２０１〜２１１のうち指針１４０の指示方向に存在する円弧の数をユーザが容易に把握することができる。また、たとえば上述のようにユーザが電池使用量を把握したい場合に、円弧２０１〜２１１のうち指針１４０の指示方向に存在する円弧の中から回転中心２２０に最も近い円弧を特定した後、特定した円弧の長さを把握することが容易になる。このため、電池使用量を容易に把握することができる。
【００９０】
図７は、実施の形態にかかる文字板の各円弧の色分けの他の一例を示す図である。図７において、図２に示した部分と同様の部分については同一の符号を付して説明を省略する。図７において円弧２０１〜２１１に付したパターンは、円弧２０１〜２１１の色を示している。図７に示す例では、円弧２０１，２０２が第１の色であり、円弧２０３〜２０５が第１の色と異なる第２の色である。また、円弧２０６〜２０８が第１，第２の色と異なる第３の色であり、円弧２０９〜２１１が第１〜第３の色と異なる第４の色である。
【００９１】
図７に示したように、円弧２０１〜２１１は、回転中心２２０に近い順にみて、２以上の所定本数（図７に示す例では３本）の円弧ごとに色が異なるようにしてもよい。または、円弧２０１〜２１１は、回転中心２２０から遠い順にみて、２以上の所定本数の円弧ごとに色が異なるようにしてもよい。これにより、円弧２０１〜２１１のうち指針１４０の指示方向に存在する円弧の数をユーザが容易に把握することができる。また、所定本数ごとに同じ色を用いることで、文字板１１０に用いる色の数を抑制することができる。
【００９２】
図６および図７に示した例の他に、たとえば、円弧２０１〜２１１のうち１つの円弧のみが、円弧２０１〜２１１のうち他の円弧の色と異なっていてもよい。すなわち、複数の円弧のうち、少なくとも１箇所は、隣り合う円弧の色が異なるようにしてもよい。また、図５〜図７に示した各構成は、組み合わせることも可能である。たとえば、図５に示したように補助目盛５０１〜５１１を設ける構成において、さらに上述の円弧２０１〜２１１の色分けを行う構成としてもよい。
【００９３】
（実施の形態にかかる指針の制御）
図８は、実施の形態にかかる指針の制御の一例を示す図である。図８において、図２に示した部分と同様の部分については同一の符号を付して説明を省略する。上述のように、円弧２０１〜２１１は、回転中心２２０からみて同一の方向に位置し回転中心２２０からの距離が異なる各点を、回転中心２２０を中心として同一の方向かつ互いに異なる回転角で回転させることにより得られる各円弧である。
【００９４】
この円弧２０１〜２１１を得るための各点の回転角は、たとえば等間隔になっている。この間隔をΔθ度（＝１８０／１１度）とする。たとえば、円弧２１１は、回転中心２２０からみて基準方向Ｄ０に位置する点を、回転中心２２０を中心として反時計回りにΔθ度だけ回転させることにより得られる円弧である。
【００９５】
円弧２１０は、回転中心２２０からみて基準方向Ｄ０に位置する点を、回転中心２２０を中心として反時計回りにΔθ×２度だけ回転させることにより得られる円弧である。円弧２０１〜２０９についても同様であり、たとえば円弧２０１は、回転中心２２０からみて基準方向Ｄ０に位置する点を、回転中心２２０を中心として反時計回りにΔθ×１１度だけ回転させることにより得られる円弧である。
【００９６】
その結果、円弧２０１〜２１１の長さは、円弧２１１、円弧２１０、円弧２０９、円弧２０８、円弧２０７、円弧２０６、円弧２０５、円弧２０４、円弧２０３、円弧２０２、円弧２０１の順に級数的に長くなっている。たとえば、円弧２１１が含まれる円の半径をｒ１とすると、円弧２１１の長さは２×π×ｒ１×（Δθ／３６０）となる。また、円弧２１０が含まれる円の半径をｒ２（＝ｒ１＋Δｒ）とすると、円弧２１０の長さは２×π×ｒ２×（Δθ×２／３６０）となる。円弧２０３〜２１１の長さについても同様であり、たとえば円弧２０１が含まれる円の半径をｒ１１（＝ｒ１＋Δｒ×１０）とすると、円弧２０１の長さは２×π×ｒ１１×（Δθ×１１／３６０）＝π×ｒ１１となる。
【００９７】
また、指針１４０の指示方向と基準方向Ｄ０との間の角度は、円弧２０１〜２１１のうち指針１４０の指示方向に存在する円弧の数と反比例する。このため、電池残量の変化に対する指針１４０の回転の制御が簡単になる。たとえば、図３に示した演算部３２５は、指針１４０の指示方向と基準方向Ｄ０との間の角度が、電池残量計測部３２４から出力された電池残量の計測値と反比例（または電池使用量と比例）するように指針１４０の回転を制御すればよい。
【００９８】
また、演算部３２５は、たとえば電池残量の計測値を１１段階の値に離散化してもよい。たとえば演算部３２５は、電池残量の計測値を、端数処理により０％、１０％、２０％、３０％、４０％、５０％、６０％、７０％、８０％、９０％、１００％のいずれかに変換する。
【００９９】
そして、演算部３２５は、変換した値が０％であれば図４に示した範囲Ｗ１の中央を指示するように指針１４０の回転を制御する。同様に、演算部３２５は、変換した値が１０％、２０％、３０％、４０％、５０％、６０％、７０％、８０％、９０％、１００％であれば、それぞれ図４に示した範囲Ｗ２〜Ｗ１１の中央を指示するように指針１４０の回転を制御する。これにより、指針１４０が範囲Ｗ１〜Ｗ１１のいずれを指示しているかをユーザが容易に把握することができる。
【０１００】
このように、実施の形態にかかる電子時計１００は、指針１４０の回転中心２２０と中心が一致し半径が互いに異なる複数の円にそれぞれ含まれる円弧２０１〜２１１が表記された文字板１１０を有する。この円弧２０１〜２１１は、指針１４０の回転中心２２０からみて指針１４０の指示方向に存在する円弧の数が指針１４０の指示方向に応じて異なるように表記されている。
【０１０１】
また、電子時計１００は、円弧２０１〜２１１のうち指針１４０の回転中心２２０からみて指針１４０の指示方向に存在する円弧の数が、電池残量計測部３２４によって計測された電池残量に応じた数になるように指針１４０の回転を制御する。これにより、電池残量の表示部の大型化および外観品質の劣化を回避しつつ計測結果をユーザに容易に把握させることができる。
【０１０２】
たとえば、上述のように、ユーザは、一定方向の視線移動により円弧を数えることで、電池残量を簡単に把握することができる。また、ユーザは、電池使用量を把握したい場合に、円弧２０１〜２１１のうち指針１４０の指示方向に存在する円弧の中から回転中心２２０に最も近い円弧を特定し、特定した円弧の長さを見ることにより電池使用量を容易に把握することができる。
【０１０３】
また、文字板１１０のスペースが限られていても、少ないスペースに長さの差が大きい円弧２０１〜２１１を表記できるため、電子時計１００の電池使用量をユーザが容易に把握することができる。また、外観品質の劣化を回避しつつ、電子時計１００の電池使用量をユーザが容易に把握することができる三日月鎌形状の目盛（円弧群１５０）を実現することができる。また、１組の指針１４０および円弧群１５０により、電池残量の表示と電池使用量の表示とを両立することができる。
【０１０４】
（実施の形態にかかる電子時計のハードウェア構成の他の例）
図９は、実施の形態にかかる電子時計のハードウェア構成の他の一例を示す図である。図９において、図３に示した部分と同様の部分については同一の符号を付して説明を省略する。電子時計１００による計測および表示の対象の所定の物理量は、たとえば上述のように電子時計１００の電池残量であるが、電子時計１００の電池残量に限らない。たとえば、図９に示すように、電子時計１００は、図３に示した電池残量計測部３２４に代えて計測部９０１を備えてもよい。または、電子時計１００は、図３に示した電池残量計測部３２４とともに計測部９０１を備えてもよい。
【０１０５】
計測部９０１は、電子時計１００の電池残量とは異なる対象を計測し、計測により得られた計測値を演算部３２５へ出力する。たとえば、計測部９０１は、温度、気圧、湿度、照度などの、電子時計１００の周辺の環境に関する物理量を計測する。または、たとえば電子時計１００が歩数計の機能を有する場合、計測部９０１は、ユーザの歩数（所定の振動の回数）を計測してもよい。
【０１０６】
または、たとえば電子時計１００が衛星電波、標準電波、無線通信の無線信号を受信する機能を有する場合、計測部９０１は、これらの無線信号の受信強度等を計測してもよい。また、計測部９０１は、太陽電池３１１による発電量を計測してもよい。ただし、計測部９０１による計測の対象はこれらに限らず、電子時計１００において計測可能な各種の物理量とすることができる。
【０１０７】
演算部３２５は、計測部９０１から出力された計測値を表示部３４０に表示させるようにモータ駆動回路３２６を制御する。このように、電子時計１００による計測と表示の対象の物理量は、電池残量に限らず各種の物理量とすることができる。電子時計１００によれば、表示部の大型化および外観品質の劣化を回避しつつ、電池残量以外の物理量の計測結果についてもユーザに容易に把握させることができる。
【０１０８】
このように、電子時計１００による表示の対象の所定の物理量を計測する計測部は、図３に示した電池残量計測部３２４であってもよいし、図９に示した計測部９０１であってもよい。すなわち、電子時計１００による計測および表示の対象の所定の物理量は、図３に示した電池残量計測部３２４によって計測される電池残量であってもよいし、図９に示した計測部９０１によって計測される電池残量以外の物理量であってもよい。
【０１０９】
また、電子時計１００による表示の対象の所定の物理量を計測する計測部は、電池残量計測部３２４および計測部９０１の両方を含んでもよい。この場合は、たとえば文字板１１０に指針１４０および円弧群１５０の組み合わせを複数設けることにより、電子時計１００が、電池残量計測部３２４による計測値と計測部９０１による各計測値をそれぞれ表示するようにする。すなわち、電子時計１００による計測および表示の対象の所定の物理量は、図３に示した電池残量計測部３２４によって計測される電池残量と、図９に示した計測部９０１によって計測される電池残量以外の物理量と、の両方を含んでもよい。
【０１１０】
また、電子時計１００による表示の対象の所定の物理量を計測する計測部は、それぞれ電池残量以外の異なる物理量（一例としては温度と受信強度）を計測する複数の計測部９０１を含んでもよい。この場合は、たとえば文字板１１０に指針１４０および円弧群１５０の組み合わせを複数設けることにより、電子時計１００が、複数の計測部９０１による各計測値をそれぞれ表示するようにする。すなわち、電子時計１００による計測および表示の対象の所定の物理量は、図９に示した計測部９０１によって計測される電池残量以外の複数の物理量を含んでもよい。
【０１１１】
以上説明したように、この発明にかかる電子時計によれば、電池残量等の物理量の表示部の大型化および外観品質の劣化を回避しつつ計測結果をユーザに容易に把握させることができる。
【産業上の利用可能性】
【０１１２】
以上のように、この発明にかかる電子時計は、各種の物理量を計測して表示する時計に有用であり、特に、電池残量を計測して表示する電子時計に適している。
【符号の説明】
【０１１３】
１００  電子時計
１１０  文字板
１２１  時針
１２２  分針
１２３  秒針
１３０  操作部
１３１  リューズ
１３２  第１プッシュボタン
１３３  第２プッシュボタン
１４０  指針
１５０  円弧群
１６１〜１６３  モードマーク
１７０  バンド
２０１〜２１１  円弧
２２０  回転中心
３１１  太陽電池
３１２  二次電池
３２０  制御回路
３２１  ＲＯＭ
３２２  ＲＡＭ
３２３  ＲＴＣ
３２４  電池残量計測部
３２５  演算部
３２６  モータ駆動回路
３３０  駆動機構
３４０  表示部
５０１〜５１１  補助目盛
９０１  計測部
【図１】
2020051953.tif 000003
【図２】
2020051953.tif 000004
【図３】
2020051953.tif 000005
【図４】
2020051953.tif 000006
【図５】
2020051953.tif 000007
【図６】
2020051953.tif 000008
【図７】
2020051953.tif 000009
【図８】
2020051953.tif 000010
【図９】
2020051953.tif 000011